(57)【要約】【課題】媒体が詰まるおそれを低減できる記録装置を提供すること。【解決手段】記録装置は、記録部１３と、第１方向に媒体が搬送される第１搬送路１４と、媒体が前記第１方向とは反対の第２方向に搬送される第２搬送路１６と、第１搬送路と第２搬送路とが分岐する分岐位置９１において第１搬送路と第２搬送路とを仕切る仕切部材１７と、を備え、第２搬送路は、仕切部材の下方に位置し、仕切部材には、媒体の幅方向において中央となる部分に切欠溝２５が形成され、切欠溝は、仕切部材において分岐位置に最も近い位置に位置する部分である先端部分１７Ａに開口する部分である開口部分と、仕切部材の先端部分から見たときに最も深い位置に位置する部分である最深部分２５Ｂと、を有し、開口部分から最深部分に向けて幅が短くなるように形成され、幅方向における中心を通過する中心軸を基準に対称な形状とされる。【選択図】図２
2020175995.tif 000002
【特許請求の範囲】
【請求項１】
媒体に記録する記録部と、
前記記録部に向かう第１方向に前記媒体が搬送される第１搬送路と、
前記第１搬送路から分岐し、前記記録部によって片面が記録された前記媒体が前記第１方向とは反対の第２方向に搬送される第２搬送路と、
前記第１搬送路と前記第２搬送路とが分岐する分岐位置において前記第１搬送路と前記第２搬送路とを仕切る仕切部材と、を備え、
前記第２搬送路は、前記仕切部材の下方に位置し、
前記仕切部材には、前記媒体の幅方向において中央となる部分に切欠溝が形成され、
前記切欠溝は、前記仕切部材において前記分岐位置に最も近い位置に位置する部分である先端部分に開口する部分である開口部分と、前記仕切部材を前記先端部分から見たときに最も深い位置に位置する部分である最深部分と、を有し、前記開口部分から前記最深部分に向けて幅が短くなるように形成され、前記幅方向における中心を通過する中心軸を基準に対称な形状とされることを特徴とする記録装置。
【請求項２】
前記開口部分と前記最深部分とを繋ぐ前記切欠溝の縁は、前記開口部分から前記最深部分に向けて直線状に延びることを特徴とする請求項１に記載の記録装置。
【請求項３】
前記開口部分と前記最深部分とを繋ぐ前記切欠溝の縁は、前記開口部分から前記最深部分に向けて湾曲しながら延びることを特徴とする請求項１に記載の記録装置。
【請求項４】
前記仕切部材の前記先端部分は、前記幅方向において直線状に延びることを特徴とする請求項１から請求項３の何れか一項に記載の記録装置。
【請求項５】
前記第１搬送路において前記記録部と前記分岐位置との間となる位置に、前記媒体を搬送するローラー対を備え、
前記ローラー対は、前記記録部から前記分岐位置に向けて前記媒体を搬送し、
前記先端部分は、前記ローラー対が前記媒体を挟み込むニップ位置における接線よりも下方に位置することを特徴とする請求項１から請求項４の何れか一項に記載の記録装置。
【請求項６】
前記媒体が前記第１搬送路を前記記録部に向けて搬送されることを許容する許容位置と、前記記録部から前記分岐位置に向けて前記第１搬送路を搬送される前記媒体を下方に押し付けることによって前記媒体を前記第２搬送路に案内する案内位置と、に変位するように構成される押付部材を備え、
前記押付部材は、前記幅方向に並ぶように複数設けられ、
複数の前記押付部材は、前記幅方向において前記切欠溝が設けられる領域よりも外側に配置され、前記第１搬送路において前記ローラー対と前記分岐位置との間で前記媒体に接触することによって前記媒体を前記仕切部材の下方に案内することを特徴とする請求項５に記載の記録装置。
【請求項７】
前記押付部材は、回転軸を有し、前記回転軸を中心に回転することによって前記許容位置と前記案内位置とに変位することを特徴とする請求項６に記載の記録装置。
【発明の詳細な説明】
【技術分野】
【０００１】
本発明は、記録装置に関する。
【背景技術】
【０００２】
特許文献１には、媒体に記録する記録部と、記録部に向けて媒体が搬送される搬送経路と、搬送経路から分岐し、記録部により片面を記録された媒体が搬送される反転経路とを備える記録装置が記載されている。片面を記録された媒体は、記録部から搬送経路と反転経路との分岐位置に向けて搬送経路を搬送されることによって、反転経路に案内される。反転経路を搬送される媒体は、搬送経路に戻される。搬送経路に戻された媒体は、再び記録部に向けて搬送される。このように、媒体が反転経路を搬送されることによって、媒体の両面に記録される。
【先行技術文献】
【特許文献】
【０００３】
【特許文献１】特開２０１５−４８２１１号公報
【発明の概要】
【発明が解決しようとする課題】
【０００４】
媒体は、例えば大気の湿度、記録部による記録などによって、幅方向においてその中央部分が浮き上がるように湾曲することがある。そのため、特許文献１に記載された記録装置においては、媒体が反転経路に案内される場合にその媒体が湾曲していると、分岐位置において搬送経路と反転経路とを仕切る部材に媒体の中央部分が衝突するおそれがある。この場合、媒体が詰まるおそれがある。
【課題を解決するための手段】
【０００５】
上記課題を解決する記録装置は、媒体に記録する記録部と、前記記録部に向かう第１方向に前記媒体が搬送される第１搬送路と、前記第１搬送路から分岐し、前記記録部によって片面が記録された前記媒体が前記第１方向とは反対の第２方向に搬送される第２搬送路と、前記第１搬送路と前記第２搬送路とが分岐する分岐位置において前記第１搬送路と前記第２搬送路とを仕切る仕切部材と、を備え、前記第２搬送路は、前記仕切部材の下方に位置し、前記仕切部材には、前記媒体の幅方向において中央となる部分に切欠溝が形成され、前記切欠溝は、前記仕切部材において前記分岐位置に最も近い位置に位置する部分である先端部分に開口する部分である開口部分と、前記仕切部材を前記先端部分から見たときに最も深い位置に位置する部分である最深部分と、を有し、前記開口部分から前記最深部分に向けて幅が短くなるように形成され、前記幅方向における中心を通過する中心軸を基準に対称な形状とされる。
【図面の簡単な説明】
【０００６】
【図１】記録装置の一実施形態を示す断面図。
【図２】仕切部材及び押付部材の断面図。
【図３】仕切部材の上面図。
【図４】切欠溝に媒体が進入するときの上面図。
【図５】仕切部材の変更例を示す上面図。
【発明を実施するための形態】
【０００７】
以下、記録装置の一実施形態について図を参照しながら説明する。記録装置は、例えば、用紙等の媒体に液体の一例であるインクを吐出することによって、文字、写真等の画像を記録するインクジェット式のプリンターである。
【０００８】
図１に示すように、記録装置１１は、筐体１２を備える。記録装置１１は、媒体９９に記録する記録部１３を備える。本実施形態の記録部１３は、筐体１２に収容される。記録装置１１は、記録部１３に向かう第１方向に媒体９９が搬送される第１搬送路１４を備える。第１方向とは、例えば筐体１２の後方から前方に向かう方向である。記録部１３は、第１搬送路１４を搬送される媒体９９に記録する。記録部１３により記録された媒体９９は、筐体１２の前方に排出される。
【０００９】
本実施形態の記録装置１１は、筐体１２に着脱可能なカセット１５を備える。カセット１５は、媒体９９を収容可能に構成される。カセット１５に収容される媒体９９は、記録部１３に向けて第１搬送路１４を搬送される。本実施形態の第１搬送路１４は、カセット１５から記録部１３に向けて筐体１２内を延びる。本実施形態のカセット１５は、筐体１２の下部に位置する。記録装置１１は、カセット１５とは別に、筐体１２の後方から媒体９９を供給可能に構成されてもよい。
【００１０】
記録装置１１は、第１搬送路１４から分岐する第２搬送路１６を備える。第２搬送路１６においては、記録部１３によって片面が記録された媒体９９が第１方向とは反対の第２方向に搬送される。第２方向とは、例えば筐体１２の前方から後方に向かう方向である。第１搬送路１４と第２搬送路１６とが分岐する位置を分岐位置９１とする。第２搬送路１６は、分岐位置９１とは異なる位置で第１搬送路１４と合流する。第１搬送路１４と第２搬送路１６とが合流する位置を合流位置９２とする。
【００１１】
第１搬送路１４において、合流位置９２は、分岐位置９１よりも搬送方向の上流に位置する。本実施形態において、搬送方向とは、第１搬送路１４に沿って媒体９９が記録部１３に向けて搬送される方向を示す。第１搬送路１４のうち分岐位置９１と合流位置９２との間の部分は、第２搬送路１６よりも上方に位置する。そのため、第２搬送路１６は、第１搬送路１４に対して下方に分岐する。
【００１２】
記録装置１１は、媒体９９の両面に記録する場合に、片面を記録した媒体９９を第２搬送路１６に案内する。媒体９９の両面に記録する場合、媒体９９は、まず、カセット１５から記録部１３に向けて第１搬送路１４を搬送される。記録部１３に搬送された媒体９９は、その片面を記録部１３により記録される。片面を記録された媒体９９は、記録部１３から分岐位置９１に向けて第１搬送路１４を搬送、すなわち第１搬送路１４を通常とは逆向きに搬送される。
【００１３】
記録部１３から分岐位置９１に向けて第１搬送路１４を搬送される媒体９９は、第２搬送路１６に案内される。第２搬送路１６を搬送される媒体９９は、合流位置９２において第１搬送路１４に戻される。第１搬送路１４に戻された媒体９９は、再び記録部１３に向けて搬送される。再び記録部１３に向けて搬送される過程において、媒体９９の姿勢が上下で反転する。すなわち、片面が記録された媒体９９は、すでに記録された面とは反対の面が記録部１３と対向する姿勢で、再び記録部１３に搬送される。このようにして、記録装置１１は、媒体９９の両面に記録する。
【００１４】
記録装置１１は、分岐位置９１において第１搬送路１４と第２搬送路１６とを仕切る仕切部材１７を備える。そのため、仕切部材１７は、第１搬送路１４と第２搬送路１６とに挟まれるように位置する。仕切部材１７は、第１搬送路１４及び第２搬送路１６を形成する部材である。第２搬送路１６は、仕切部材１７の下方に位置する。
【００１５】
記録装置１１は、記録部１３から分岐位置９１に向けて第１搬送路１４を搬送される媒体９９を下方に押し付けることによって媒体９９を第２搬送路１６に案内する押付部材１８を備えてもよい。この場合、記録部１３から分岐位置９１に向けて第１搬送路１４を搬送される媒体９９は、押付部材１８によって下方に押し付けられることにより、分岐位置９１において下方に案内されやすくなる。すなわち、記録部１３から分岐位置９１に向けて第１搬送路１４を搬送される媒体９９は、仕切部材１７の下方に案内されやすくなる。押付部材１８は、記録部１３から分岐位置９１に向けて第１搬送路１４を搬送される媒体９９が仕切部材１７の上方に案内されるおそれを低減する。
【００１６】
本実施形態の記録装置１１は、媒体９９を搬送する搬送部１９を備える。搬送部１９は、例えば第１搬送路１４及び第２搬送路１６に沿って配置される複数のローラーを含む。ローラーが回転することによって、搬送部１９は、第１搬送路１４及び第２搬送路１６に沿って媒体９９を搬送する。
【００１７】
図２に示すように、本実施形態の記録装置１１は、第１搬送路１４において記録部１３と分岐位置９１との間となる位置に、媒体９９を搬送するローラー対２１を備える。本実施形態において、ローラー対２１は、搬送部１９を構成する。ローラー対２１は、媒体９９を挟み込む状態で回転することによって媒体９９を搬送する。ローラー対２１は、双方向に回転可能とされる。すなわち、ローラー対２１は、正回転することによって分岐位置９１から記録部１３に向かうように媒体９９を搬送する。ローラー対２１は、逆回転することによって記録部１３から分岐位置９１に向かうように媒体９９を搬送する。
【００１８】
本実施形態のローラー対２１は、搬送される媒体９９の傾きであるスキューを除去する機能を有する。例えば、搬送される媒体９９の先端が、停止するローラー対２１に突き当てられることによって、媒体９９のスキューが除去される。
【００１９】
仕切部材１７の先端部分１７Ａは、ローラー対２１が媒体９９を挟み込むニップ位置９６における接線Ｌ１よりも下方に位置してもよい。こうすると、媒体９９が記録部１３に向けて第１搬送路１４を搬送される際に媒体９９にかかる負荷が低減される。そのため、媒体９９が記録部１３に向けて搬送されやすくなる。先端部分１７Ａが接線Ｌ１よりも上方に位置する場合、媒体９９が湾曲されながら記録部１３に向けて第１搬送路１４を搬送されることになる。この場合、媒体９９が湾曲されることによって、媒体９９に負荷がかかりやすくなる。
【００２０】
本実施形態の押付部材１８は、許容位置９３と、案内位置９４とに変位するように構成される。許容位置９３とは、媒体９９が記録部１３に向けて第１搬送路１４を搬送されることを許容する位置である。案内位置９４とは、記録部１３から分岐位置９１に向けて第１搬送路１４を搬送される媒体９９を下方に押し付けることによって、媒体９９を第２搬送路１６に案内する位置である。押付部材１８は、第１搬送路１４において記録部１３と分岐位置９１との間で媒体９９に接触することによって媒体９９を仕切部材１７の下方に案内する。
【００２１】
本実施形態の押付部材１８は、回転軸２２を有する。押付部材１８は、回転軸２２を中心に回転可能とされる。そのため、押付部材１８が変位するための構成を簡易にできる。回転軸２２は、第１搬送路１４の上方に位置する。押付部材１８は、回転軸２２を中心に回転することによって、許容位置９３と案内位置９４とに変位する。
【００２２】
本実施形態の押付部材１８は、記録部１３に向けて第１搬送路１４を搬送される媒体９９が接触することによって、許容位置９３に変位する。例えば、押付部材１８は、記録部１３に向けて第１搬送路１４を搬送される媒体９９が接触する場合に、回転軸２２を中心に第３方向に回転することによって許容位置９３に変位する。第３方向とは、図２において反時計回りとなる方向である。
【００２３】
本実施形態の押付部材１８は、記録部１３から分岐位置９１に向けて第１搬送路１４を搬送される媒体９９が接触することによって案内位置９４に変位する。例えば、押付部材１８は、記録部１３から分岐位置９１に向けて第１搬送路１４を搬送される媒体９９が接触する場合に、回転軸２２を中心に第３方向とは反対の方向である第４方向に回転することによって案内位置９４に変位する。第４方向とは、図２において時計回りとなる方向である。
【００２４】
本実施形態の押付部材１８は、媒体９９が接触していない場合に自重によって通常位置９５に位置する。通常位置９５とは、許容位置９３及び案内位置９４とは異なる位置である。通常、押付部材１８は、通常位置９５に位置する。押付部材１８は、媒体９９が接触することによって通常位置９５から許容位置９３又は案内位置９４に変位する。図２に示す押付部材１８は、通常位置９５に位置する。
【００２５】
本実施形態において、押付部材１８は、媒体９９が接触していない場合に、重力の作用によって第１搬送路１４の上方から垂れ下がるように位置する。通常位置９５にある押付部材１８の下端部分１８Ａは、第１搬送路１４においてローラー対２１と分岐位置９１との間に位置する。押付部材１８の下端部分１８Ａは、第１搬送路１４内に位置する。本実施形態において、下端部分１８Ａとは、案内位置９４に位置する状態において押付部材１８の下端となる部分である。本実施形態において、下端部分１８Ａは、押付部材１８において回転軸２２が設けられる部分を基端とした場合に、基端とは反対の先端を構成する。
【００２６】
許容位置９３に位置する押付部材１８は、記録部１３に向けて搬送される媒体９９が接触する状態から接触しない状態になると、重力の作用によって、許容位置９３から通常位置９５に復帰する。案内位置９４に位置する押付部材１８は、記録部１３から分岐位置９１に向けて搬送される媒体９９が接触する状態から接触しない状態になると、重力の作用によって、案内位置９４から通常位置９５に復帰する。
【００２７】
媒体９９は、大気の湿度、記録部１３による記録などによって、幅方向においてその中央部分が浮き上がるように湾曲することがある。記録部１３から分岐位置９１に向かって第１搬送路１４を搬送される媒体９９が湾曲していると、浮き上がった媒体９９の中央部分が仕切部材１７の先端部分１７Ａに衝突するおそれがある。先端部分１７Ａとは、仕切部材１７において分岐位置９１に対して最も近い位置に位置する部分である。媒体９９が先端部分１７Ａと衝突すると、媒体９９が第２搬送路１６に案内されず、媒体９９が詰まるおそれがある。
【００２８】
図３に示すように、仕切部材１７には、幅方向において中央となる部分に切欠溝２５が形成される。切欠溝２５は、仕切部材１７の一部分を切り欠くように形成される。幅方向とは、第１搬送路１４及び第２搬送路１６を搬送される媒体９９の幅を示す指標となる仮想軸Ａ１に沿う方向である。幅方向は、仮想軸Ａ１に平行に延びる双方向を示す。
【００２９】
切欠溝２５は、仕切部材１７の先端部分１７Ａに開口する部分である開口部分２５Ａを有する。切欠溝２５は、仕切部材１７を先端部分１７Ａから見たときに最も深い位置に位置する部分である最深部分２５Ｂを有する。切欠溝２５は、開口部分２５Ａから最深部分２５Ｂに向けて幅が短くなるように形成される。すなわち、切欠溝２５は、開口部分２５Ａから最深部分２５Ｂに向けて窄むような形状とされる。本実施形態において、切欠溝２５は、仕切部材１７を上方から見たときに、三角形状となるように形成される。
【００３０】
切欠溝２５は、幅方向における中心を通過する中心軸Ａ２を基準に対称な形状とされる。そのため、切欠溝２５の最深部分２５Ｂは、中心軸Ａ２と重なる位置に位置する。媒体９９は、幅方向の中央部分が中心軸Ａ２と重なるように、第１搬送路１４及び第２搬送路１６を搬送される。そのため、媒体９９が搬送される際、その媒体９９の中央部分は、切欠溝２５と対応する位置を通過する。本実施形態においては、幅方向において、媒体９９の中心と、中心軸Ａ２とが重なる。
【００３１】
図４に示すように、幅方向において中央部分が浮き上がるように湾曲する媒体９９が記録部１３から分岐位置９１に向けて第１搬送路１４を搬送されると、媒体９９の浮き上がった部分が仕切部材１７の切欠溝２５に進入する。切欠溝２５に進入した媒体９９の中央部分は、最深部分２５Ｂに到達する前に、開口部分２５Ａと最深部分２５Ｂとを繋ぐ切欠溝２５の縁２５Ｃに接触する。媒体９９は、そのまま搬送されると、切欠溝２５が窄む形状であるため、切欠溝２５の縁２５Ｃによって仕切部材１７の下方に押し下げられる。その結果、媒体９９は、仕切部材１７の下方に位置する第２搬送路１６に案内される。これにより、媒体９９の中央部分が仕切部材１７に衝突するおそれを低減できる。したがって、媒体９９が詰まるおそれを低減できる。
【００３２】
本実施形態において、開口部分２５Ａと最深部分２５Ｂとを繋ぐ切欠溝２５の縁２５Ｃは、開口部分２５Ａから最深部分２５Ｂに向けて直線状に延びる。こうすると、浮き上がった媒体の中央部分を切欠溝２５によって効果的に押し下げることができる。
【００３３】
本実施形態において、仕切部材１７の先端部分１７Ａは、幅方向において直線状に延びる。すなわち、仕切部材１７の先端部分１７Ａにおいて、切欠溝２５が形成された箇所以外の部分は、仮想軸Ａ１に沿って直線状に延びる。こうすると、中央部分とは異なる媒体９９の端部分が仕切部材１７の下方に案内されやすくなる。
【００３４】
本実施形態において、押付部材１８は、搬送される媒体９９の幅方向において並ぶように複数設けられる。複数の押付部材１８は、幅方向において切欠溝２５が設けられる領域よりも外側に配置される。こうすると、記録部１３から分岐位置９１に向けて第１搬送路１４を搬送される媒体９９において、幅方向における端部分が押付部材１８によって下方に押し付けられた状態で、幅方向における中央部分が切欠溝２５に進入する。そのため、媒体９９が第２搬送路１６に案内されやすくなる。
【００３５】
複数の押付部材１８は、幅方向において、中心軸Ａ２を中心に対称に配置されてもよい。こうすると、複数の押付部材１８は、幅方向において均等に媒体９９を押し下げることができる。
【００３６】
次に、上記実施形態の作用及び効果について説明する。
（１）切欠溝２５は、開口部分２５Ａから最深部分２５Ｂに向けて幅が短くなるように形成され、幅方向における中心を通過する中心軸Ａ２を基準に対称な形状とされる。幅方向において中央部分が浮き上がるように湾曲する媒体９９が記録部１３から分岐位置９１に向けて第１搬送路１４を搬送されると、媒体９９の浮き上がった部分が仕切部材１７の切欠溝２５に進入する。切欠溝２５に進入した媒体９９の中央部分は、最深部分２５Ｂに到達する前に、開口部分２５Ａと最深部分２５Ｂとを繋ぐ切欠溝２５の縁２５Ｃに接触する。媒体９９は、そのまま搬送されると、切欠溝２５が窄む形状であるため、切欠溝２５の縁２５Ｃによって仕切部材１７の下方に押し下げられる。その結果、媒体９９は、仕切部材１７の下方に位置する第２搬送路１６に案内される。これにより、媒体９９の中央部分が仕切部材１７に衝突するおそれを低減できる。したがって、媒体９９が詰まるおそれを低減できる。
【００３７】
（２）開口部分２５Ａと最深部分２５Ｂとを繋ぐ切欠溝２５の縁２５Ｃは、開口部分２５Ａから最深部分２５Ｂに向けて直線状に延びる。これにより、浮き上がった媒体９９の中央部分を切欠溝２５によって効果的に押し下げることができる。
【００３８】
（３）仕切部材１７の先端部分１７Ａは、幅方向において直線状に延びる。これにより、媒体９９の端部分が仕切部材１７の下方に案内されやすくなる。
（４）仕切部材１７の先端部分１７Ａは、ローラー対２１が媒体９９を挟み込むニップ位置９６における接線Ｌ１よりも下方に位置する。これにより、媒体９９が記録部１３に向けて第１搬送路１４を搬送される際に媒体９９にかかる負荷が低減される。そのため、媒体９９が記録部１３に向けて搬送されやすくなる。
【００３９】
（５）複数の押付部材１８は、幅方向において切欠溝２５が設けられる領域よりも外側に配置される。これにより、記録部１３から分岐位置９１に向けて第１搬送路１４を搬送される媒体９９において、幅方向における端部分が押付部材１８によって下方に押し付けた状態で、幅方向における中央部分が切欠溝２５に進入する。そのため、媒体９９が第２搬送路１６に案内されやすくなる。
【００４０】
（６）押付部材１８は、回転軸２２を中心に回転することによって許容位置９３と案内位置９４とに変位する。こうすると、押付部材１８が変位するための構成を簡易にできる。
【００４１】
本実施形態は、以下のように変更して実施することができる。本実施形態及び以下の変更例は、技術的に矛盾しない範囲で互いに組み合わせて実施することができる。
・図５に示すように、切欠溝２５の形状を変更してもよい。例えば、開口部分２５Ａと最深部分２５Ｂとを繋ぐ切欠溝２５の縁２５Ｃは、開口部分２５Ａから最深部分２５Ｂに向けて湾曲しながら延びてもよい。この切欠溝２５は、幅方向において、中心軸Ａ２を基準に対称な形状とされる。この変更例において、切欠溝２５は、仕切部材１７を上方から見たときに、半円形状となるように形成される。
【００４２】
この変更例によれば、以下の効果を得ることができる。
（７）浮き上がった媒体９９の中央部分を切欠溝２５によって効果的に押し下げることができる。
【００４３】
・押付部材１８は、例えばモーターによって変位されてもよい。
・押付部材１８は、第１搬送路１４に対して進退するように構成されてもよい。この場合、押付部材１８は、第１搬送路１４に対して進退することによって、許容位置９３と案内位置９４とに変位する。
【００４４】
・記録部１３が吐出する液体はインクに限らず、例えば機能材料の粒子が液体に分散又は混合されてなる液状体などでもよい。例えば、記録部１３が液晶ディスプレイ、エレクトロルミネッセンスディスプレイ及び面発光ディスプレイの製造などに用いられる電極材または画素材料などの材料を分散または溶解のかたちで含む液状体を吐出してもよい。
【００４５】
以下に、上述した実施形態及び変更例から把握される技術的思想及びその作用効果を記載する。
（Ａ）記録装置は、媒体に記録する記録部と、前記記録部に向かう第１方向に前記媒体が搬送される第１搬送路と、前記第１搬送路から分岐し、前記記録部によって片面が記録された前記媒体が前記第１方向とは反対の第２方向に搬送される第２搬送路と、前記第１搬送路と前記第２搬送路とが分岐する分岐位置において前記第１搬送路と前記第２搬送路とを仕切る仕切部材と、を備え、前記第２搬送路は、前記仕切部材の下方に位置し、前記仕切部材には、前記媒体の幅方向において中央となる部分に切欠溝が形成され、前記切欠溝は、前記仕切部材において前記分岐位置に最も近い位置に位置する部分である先端部分に開口する部分である開口部分と、前記仕切部材を前記先端部分から見たときに最も深い位置に位置する部分である最深部分と、を有し、前記開口部分から前記最深部分に向けて幅が短くなるように形成され、前記幅方向における中心を通過する中心軸を基準に対称な形状とされる。
【００４６】
この構成によれば、幅方向において中央部分が浮き上がるように湾曲する媒体が記録部から分岐位置に向けて第１搬送路を搬送されると、媒体の浮き上がった部分が仕切部材の切欠溝に進入する。切欠溝に進入した媒体の中央部分は、最深部分に到達する前に、開口部分と最深部分とを繋ぐ切欠溝の縁に接触する。媒体は、そのまま搬送されると、切欠溝２５が窄む形状であるため、切欠溝の縁によって仕切部材の下方に押し下げられる。その結果、媒体は、仕切部材の下方に位置する第２搬送路に案内される。これにより、媒体の中央部分が仕切部材に衝突するおそれを低減できる。したがって、媒体が詰まるおそれを低減できる。
【００４７】
（Ｂ）上記記録装置において、前記開口部分と前記最深部分とを繋ぐ前記切欠溝の縁は、前記開口部分から前記最深部分に向けて直線状に延びてもよい。
この構成によれば、浮き上がった媒体の中央部分を切欠溝によって効果的に押し下げることができる。
【００４８】
（Ｃ）上記記録装置において、前記開口部分と前記最深部分とを繋ぐ前記切欠溝の縁は、前記開口部分から前記最深部分に向けて湾曲しながら延びてもよい。
この構成によれば、浮き上がった媒体の中央部分を切欠溝によって効果的に押し下げることができる。
【００４９】
（Ｄ）上記記録装置において、前記仕切部材の前記先端部分は、前記幅方向において直線状に延びてもよい。
この構成によれば、媒体の端部分が仕切部材の下方に案内されやすくなる。
【００５０】
（Ｅ）上記記録装置は、前記第１搬送路において前記記録部と前記分岐位置との間となる位置に、前記媒体を搬送するローラー対を備え、前記ローラー対は、前記記録部から前記分岐位置に向けて前記媒体を搬送し、前記先端部分は、前記ローラー対が前記媒体を挟み込むニップ位置における接線よりも下方に位置してもよい。
【００５１】
この構成によれば、媒体が記録部に向けて第１搬送路を搬送される際に媒体にかかる負荷が低減される。そのため、媒体が記録部に向けて搬送されやすくなる。
（Ｆ）上記記録装置は、前記媒体が前記第１搬送路を前記記録部に向けて搬送されることを許容する許容位置と、前記記録部から前記分岐位置に向けて前記第１搬送路を搬送される前記媒体を下方に押し付けることによって前記媒体を前記第２搬送路に案内する案内位置と、に変位するように構成される押付部材を備え、前記押付部材は、前記幅方向に並ぶように複数設けられ、複数の前記押付部材は、前記幅方向において前記切欠溝が設けられる領域よりも外側に配置され、前記第１搬送路において前記ローラー対と前記分岐位置との間で前記媒体に接触することによって前記媒体を前記仕切部材の下方に案内してもよい。
【００５２】
この構成によれば、記録部から分岐位置に向けて第１搬送路を搬送される媒体において、幅方向における端部分が押付部材によって下方に押し付けた状態で、幅方向における中央部分が切欠溝に進入する。そのため、媒体が第２搬送路に案内されやすくなる。
【００５３】
（Ｇ）上記記録装置において、前記押付部材は、回転軸を有し、前記回転軸を中心に回転することによって前記許容位置と前記案内位置とに変位してもよい。
この構成によれば、押付部材が変位するための構成を簡易にできる。
【符号の説明】
【００５４】
１１…記録装置、１２…筐体、１３…記録部、１４…第１搬送路、１５…カセット、１６…第２搬送路、１７…仕切部材、１７Ａ…先端部分、１８…押付部材、１８Ａ…下端部分、１９…搬送部、２１…ローラー対、２２…回転軸、２５…切欠溝、２５Ａ…開口部分、２５Ｂ…最深部分、２５Ｃ…縁、９１…分岐位置、９２…合流位置、９３…許容位置、９４…案内位置、９５…位置、９６…ニップ位置、９９…媒体、Ａ１…仮想軸、Ａ２…中心軸、Ｌ１…接線。
【図１】
2020175995.tif 000003
【図２】
2020175995.tif 000004
【図３】
2020175995.tif 000005
【図４】
2020175995.tif 000006
【図５】
2020175995.tif 000007